(57)【要約】  映像符号化装置は、輝度信号をダウンサンプルするサンプル位置シフト付きダウンサンプル器107 と、ダウンサンプルされた輝度信号から色差信号を線形予測する予測器101 とを備え、サンプル位置シフト付きダウンサンプル器107 が処理対象のスキャンに応じてダウンサンプル輝度信号のサンプル位置をシフトする。映像復号装置は、輝度信号をダウンサンプルするサンプル位置シフト付きダウンサンプル器205 と、ダウンサンプルされた輝度信号から色差信号を線形予測する予測器203 とを備え、サンプル位置シフト付きダウンサンプル器205 が処理対象のスキャンに応じてダウンサンプル輝度信号のサンプル位置をシフトする。
2013065263.tif 000002
【特許請求の範囲】
【請求項１】
輝度信号をダウンサンプルする輝度信号ダウンサンプル手段と、ダウンサンプルした輝度信号から色差信号を線形予測する予測手段とを備える映像符号化装置であって、
前記輝度信号ダウンサンプル手段が処理対象のスキャンに応じてダウンサンプル輝度信号のサンプル位置をシフトする
ことを特徴とする映像符号化装置。
【請求項２】
前記輝度信号ダウンサンプル手段は、少なくとも垂直方向に輝度信号を1/2にダウンサンプルする手段であって、
前記輝度信号ダウンサンプル手段は、プログレッシブスキャンのダウンサンプル輝度信号のサンプル位置を1/2シフトし、インタレーススキャンのトップフィールドのダウンサンプル輝度信号のサンプル位置を1/4シフトし、インタレーススキャンのボトムフィールドのダウンサンプル輝度信号のサンプル位置を3/4シフトする
請求項１記載の映像符号化装置。
【請求項３】
輝度信号をダウンサンプルする輝度信号ダウンサンプル手段と、ダウンサンプルした輝度信号から色差信号を線形予測する予測手段とを備える映像復号装置であって、
前記輝度信号ダウンサンプル手段が処理対象のスキャンに応じてダウンサンプル輝度信号のサンプル位置をシフトする
ことを特徴とする映像復号装置。
【請求項４】
前記輝度信号ダウンサンプル手段は、少なくとも垂直方向に輝度信号を1/2にダウンサンプルする手段であって、
前記輝度信号ダウンサンプル手段は、プログレッシブスキャンのダウンサンプル輝度信号のサンプル位置を1/2シフトし、インタレーススキャンのトップフィールドのダウンサンプル輝度信号のサンプル位置を1/4シフトし、インタレーススキャンのボトムフィールドのダウンサンプル輝度信号のサンプル位置を3/4シフトする
請求項３記載の映像復号装置。
【請求項５】
輝度信号をダウンサンプルし、ダウンサンプルした輝度信号から色差信号を線形予測する映像符号化方法であって、
処理対象のスキャンに応じてダウンサンプル輝度信号のサンプル位置をシフトする
ことを特徴とする映像符号化方法。
【請求項６】
少なくとも垂直方向に輝度信号を1/2にダウンサンプルする映像符号化方法であって、
プログレッシブスキャンのダウンサンプル輝度信号のサンプル位置を1/2シフトし、インタレーススキャンのトップフィールドのダウンサンプル輝度信号のサンプル位置を1/4シフトし、インタレーススキャンのボトムフィールドのダウンサンプル輝度信号のサンプル位置を3/4シフトする
請求項５記載の映像符号化方法。
【請求項７】
輝度信号をダウンサンプルし、ダウンサンプルした輝度信号から色差信号を線形予測する映像復号方法であって、
処理対象のスキャンに応じてダウンサンプル輝度信号のサンプル位置をシフトする
ことを特徴とする映像復号方法。
【請求項８】
少なくとも垂直方向に輝度信号を1/2にダウンサンプルする映像復号方法であって、
プログレッシブスキャンのダウンサンプル輝度信号のサンプル位置を1/2シフトし、インタレーススキャンのトップフィールドのダウンサンプル輝度信号のサンプル位置を1/4シフトし、インタレーススキャンのボトムフィールドのダウンサンプル輝度信号のサンプル位置を3/4シフトする
請求項７記載の映像復号方法。
【請求項９】
コンピュータに、輝度信号をダウンサンプルし、ダウンサンプルした輝度信号から色差信号を線形予測させるための映像符号化プログラムであって、
コンピュータに、処理対象のスキャンに応じてダウンサンプル輝度信号のサンプル位置をシフトする処理を実行させるための映像符号化プログラム。
【請求項１０】
コンピュータに、輝度信号をダウンサンプルし、ダウンサンプルした輝度信号から色差信号を線形予測させるための映像復号プログラムであって、
コンピュータに、処理対象のスキャンに応じてダウンサンプル輝度信号のサンプル位置をシフトする処理を実行させるための映像復号プログラム。
【発明の詳細な説明】
【技術分野】
【０００１】
本発明は、ダウンサンプルした輝度信号から色差信号を予測する映像符号化装置および映像復号装置に関する。
【背景技術】
【０００２】
非特許文献１は、同じ符号化単位の輝度信号（luma信号）と色差信号（chroma信号）との相互相関を活用した、新しい色差信号予測（以後、intra_chromaFromLuma予測と呼ぶ）技術を開示している。非特許文献２は、8.3.3.1.8 節Specification of Intra_FromLuma prediction mode にて、intra_chromaFromLuma予測の具体的な動作ステップを記述する。以下にその概要を示す。【０００３】
（ステップ1 ）再構築した輝度信号 predSamples[ x, y ] を水平2画素ごとに、垂直方向に1/2にダウンサンプルしたダウンサンプル輝度信号pY'[ x, y ](x = -1..nS-1 , y = -1..nS-1 )を式（1 ）で計算する。【０００４】
pY'[ x, y ] = ( recSamplesL[ 2x, 2y ] + recSamplesL[ 2x, 2y+1 ] ) >> 1   ・・・式（1 ）
ただし、nSは色差信号（色差ブロック信号）の幅である（つまり、処理に必要な再構築輝度信号（色差ブロック信号）の幅は、2+2*nSとなる（図１））。【０００５】
（ステップ2 ）pY'[ x, y ](x, y = -1..nS-1 )と再構築した色差信号 p[ x, y ] (x=-1, y=0,...nS-1およびx=0,...nS-1, y=-1)に基づいて、ブロックの境界のダウンサンプル輝度信号の総和L、ブロックの境界の色差信号の総和C、ブロックの境界のダウンサンプル輝度信号の２乗和Sおよびブロックの境界のダウンサンプル輝度信号とブロックの境界の色差信号を乗じた値の和Xを計算する。【０００６】
（ステップ３）L、C、SおよびXに基づいて、ブロックの境界のダウンサンプル輝度信号（pY'）からブロックの境界の色差信号（y）を線形予測する線形予測係数aとbを計算する。線形予測の予測誤差の２乗和Σ(y - a*pY' - b)2を最小にする線形予測係数aとbを計算する。【０００７】
（ステップ４）計算したaおよびbに基づいて、ブロック内のダウンサンプル輝度信号pY'[ x, y ]からブロック内の色差予測信号predSamples[ x, y ](x, y = -1..nS-1 )を以下の式（2 ）で計算する。【０００８】
predSamples[ x, y ] = a * pY'[ x, y ] + b   ・・・式（2 ）【０００９】
図２は、非特許文献１に記載されたintra_chromaFromLuma予測を用いる映像符号化装置の構成図である。図２に示す映像符号化装置はフレーム（Frame）を構成するLargest Coding Unit（LCU）をラスタスキャン順で、LCUを構成するCUをゼットスキャン順で符号化する（図３）。また、CUをさらにPrediction Unit（PU）に分割する（図４）。ゆえに、予測のブロックサイズは、PUのブロックサイズとなる。（例えば、CUのサイズが32×32、PUが2N×2Nの場合、nSは16となる。）【００１０】
図２に示す映像符号化装置において、予測器101 が生成した予測信号（予測ブロック信号）を入力信号（入力ブロック信号）から減じた、残差信号（残差ブロック信号）を周波数変換器102 および量子化器103 を介して残差周波数変換量子化インデックス（残差レベル）に変換する。エントロピー符号化器104 は、残差レベルをエントロピー符号化して、ビットストリームを出力する。以後の入力信号の予測のために、残差レベルを逆量子化／逆周波数変換器105 を介して再構築残差信号（再構築残差ブロック信号）に変換し、予測信号を加えて再構築信号（再構築ブロック信号）としてバッファ106 格納する。ダウンサンプル器107A は、ステップ１の処理に基づいて、再構築した輝度信号のダウンサンプル輝度信号を生成する。予測器101 は、ダウンサンプル器107A から供給されるダウンサンプル輝度信号とバッファ106 から供給される再構築色差信号を用いて、ステップ２，３，４の処理に基づいて色差予測信号を生成する。
【先行技術文献】
【非特許文献】
【００１１】
【非特許文献１】Jianle Chen, Vadim Seregin, Woo-Jin Han, Jungsun Kim, and Byeongmoon Jeon, "CE6.a.4: Chroma intra prediction by reconstructed luma samples", JCTVC-E266, Joint Collaborative Team on Video Coding (JCT-VC) of ITU-T SG16 WP3 and ISO/IEC JTC1/SC29/WG11 5th Meeting: Geneva, 16-23 March, 2011
【非特許文献２】Benjamin Bross, Woo-Jin Han, Jens-Rainer Ohm, Gary J. Sullivan, and Thomas Wiegand, "WD4: Working Draft 4 of High-Efficiency Video Coding", JCTVC-F803_d1, Joint Collaborative Team on Video Coding (JCT-VC) of ITU-T SG16 WP3 and ISO/IEC JTC1/SC29/WG11 6th Meeting: Torino, IT, 14-22 July, 2011
【非特許文献３】"ISO/IEC 14496-10
【非特許文献４】Minezawa, K. Sugimoto, S. Sekiguchi (Mitsubishi), "An improvement to chroma intra prediction from luma", JCTVC-F173, Joint Collaborative Team on Video Coding (JCT-VC) of ITU-T SG16 WP3 and ISO/IEC JTC1/SC29/WG11 6th Meeting: Torino, IT, 14-22 July, 2011
【非特許文献５】Jianle Chen, "BoG report on simplification of intra_chromaFromLuma mode prediction", JCTVC-F760, Joint Collaborative Team on Video Coding (JCT-VC) of ITU-T SG16 WP3 and ISO/IEC JTC1/SC29/WG11 6th Meeting: Torino, IT, 14-22 July, 2011
【発明の概要】
【発明が解決しようとする課題】
【００１２】
4：2：0のプログレッシブスキャンと4：2：0のインタレーススキャン（図５）とでは、輝度信号のサンプル位置に対する色差信号のサンプル位置が異なる（図６、図７および図８）。（なお、4：2：0のインタレーススキャンにおけるサンプル位置に対する色差信号のサンプル位置は非特許文献１のFigure 6-2にも記載されている。）【００１３】
非特許文献１に記載された技術は、ダウンサンプル輝度信号のサンプル位置（ダウンサンプル輝度サンプル位置）を縦に1/2画素だけシフトする。ゆえに、4：2：0のインタレーススキャンのダウンサンプル輝度サンプル位置は縦方向にずれる。【００１４】
具体的には、インタレーススキャンにおいて、色差サンプル位置に対するダウンサンプル輝度サンプル位置がトップフィールドで下に1/4ずれる（図９(b)）。また、ボトムフィールドで上に1/4ずれる（図９（b））。【００１５】
ダウンサンプル輝度サンプル位置が縦方向にずれると、縦方向にサンプル位置がずれたダウンサンプル輝度信号から色差予測信号が生成される。この結果、色差予測信号のサンプル位置も縦方向にずれるため色差信号の画質が低下する課題がある。【００１６】
本発明は、ダウンサンプル輝度信号から生成される色差予測信号のサンプル位置が好適に保たれて、色差信号の画質低下を防止することを目的とする。
【課題を解決するための手段】
【００１７】
本発明による映像符号化装置は、輝度信号をダウンサンプルする輝度信号ダウンサンプル手段と、ダウンサンプルした輝度信号から色差信号を線形予測する予測手段とを備え、輝度信号ダウンサンプル手段が処理対象のスキャンに応じてダウンサンプル輝度信号のサンプル位置をシフトすることを特徴とする。【００１８】
本発明による映像復号装置は、輝度信号をダウンサンプルする輝度信号ダウンサンプル手段と、ダウンサンプルした輝度信号から色差信号を線形予測する予測手段とを備え、輝度信号ダウンサンプル手段が処理対象のスキャンに応じてダウンサンプル輝度信号のサンプル位置をシフトすることを特徴とする。【００１９】
本発明による映像符号化方法は、輝度信号をダウンサンプルし、ダウンサンプルした輝度信号から色差信号を線形予測する映像符号化方法であって、処理対象のスキャンに応じてダウンサンプル輝度信号のサンプル位置をシフトすることを特徴とする。【００２０】
本発明による映像復号方法は、輝度信号をダウンサンプルし、ダウンサンプルした輝度信号から色差信号を線形予測する映像復号方法であって、処理対象のスキャンに応じてダウンサンプル輝度信号のサンプル位置をシフトすることを特徴とする。【００２１】
本発明による映像符号化プログラムは、コンピュータに、輝度信号をダウンサンプルし、ダウンサンプルした輝度信号から色差信号を線形予測させるための映像符号化プログラムであって、コンピュータに、処理対象のスキャンに応じてダウンサンプル輝度信号のサンプル位置をシフトする処理を実行させることを特徴とする。【００２２】
本発明による映像復号プログラムは、コンピュータに、輝度信号をダウンサンプルし、ダウンサンプルした輝度信号から色差信号を線形予測させるための映像復号プログラムであって、コンピュータに、処理対象のスキャンに応じてダウンサンプル輝度信号のサンプル位置をシフトする処理を実行させることを特徴とする。
【発明の効果】
【００２３】
本発明によれば、ダウンサンプル輝度信号から生成される色差予測信号のサンプル位置が好適に保たれて、色差信号の画質低下を防止できる。
【図面の簡単な説明】
【００２４】
【図１】輝度ブロック（Y）と色差ブロック（UとV）の関係を示す説明図である。
【図２】一般的な映像符号化装置の構成図である。
【図３】FrameとLCUとCUの関係を示す説明図である。
【図４】PUの形状（イントラCUの場合）を示す説明図である。
【図５】プログレッシブスキャンとインタレーススキャンの例を示す説明図である。
【図６】プログレッシブスキャンにおける輝度信号と色差信号のサンプル位置を示す説明図である。
【図７】インタレーススキャンのトップフィールドにおける輝度信号と色差信号のサンプル位置を示す説明図である。
【図８】インタレーススキャンのボトムフィールドにおける輝度信号と色差信号のサンプル位置を示す説明図である。
【図９】従来技術による輝度ダウンサンプル位置（輝度サンプル位置の丸内の数字はフィルタ係数）を示す説明図である。
【図１０】第１の実施形態の映像符号化装置の構成例を示すブロック図である。
【図１１】サンプル位置シフト付きダウンサンプル器の動作例を示すフローチャートである。
【図１２】発明技術による輝度ダウンサンプル位置（輝度サンプル位置の丸内の数字はフィルタ係数）を示す説明図である。
【図１３】第２の実施形態の映像符号化装置の構成例を示すブロック図である。
【図１４】サンプル位置シフト付きダウンサンプル器の動作例を示すフローチャートである。
【図１５】その他の実施形態の発明による輝度ダウンサンプル位置（その１）を示す説明図である。
【図１６】その他の実施形態の発明による輝度ダウンサンプル位置（その２）を示す説明図である。
【図１７】インタレース信号のフレームパッキングの例の説明図である。
【図１８】本発明を利用した情報処理装置の構成例を示すブロック図である。
【発明を実施するための形態】
【００２５】
本発明では、処理対象の輝度信号のサンプル位置に対する色差信号のサンプル位置に応じたサンプル位置のダウンサンプル輝度信号を生成する。処理対象が4：2：0プログレッシブスキャンであれば、サンプル位置を縦に1/2画素シフトしたダウンサンプル輝度信号を生成する。処理対象が4：2：0インタレーススキャンのトップフィールドであれば、サンプル位置を縦に1/4画素シフトしたダウンサンプル輝度信号を生成する。処理対象が4：2：0インタレーススキャンのボトムフィールドであれば、サンプル位置を縦に3/4画素シフトしたダウンサンプル輝度信号を生成する。よって、処理対象のスキャンに応じたサンプル位置のダウンサンプル輝度信号が生成される。この結果、ダウンサンプル輝度信号から生成される色差予測信号のサンプル位置が好適に保たれて、色差信号の画質低下を防止できる。
【００２６】
実施形態１．
図１０に示す本実施形態の映像符号化装置は、予測器101 、周波数変換器102 、量子化器103 、エントロピー符号化器104 、逆量子化／逆周波数変換器105 、バッファ106 、およびサンプル位置シフト付きダウンサンプル器107 を備える。
【００２７】
図２に示す映像符号化装置と比較すると明らかなように、サンプル位置シフト付きダウンサンプル器107 が発明の特徴部である。なお、エントロピー符号化器104 が、スキャンをビットストリームに多重化することが本発明の特徴ではないため、エントロピー符号化器104 も図２に示すものと同等とする。以下、本発明の特徴であるサンプル位置シフト付きダウンサンプル器107 の動作を説明する。
【００２８】
サンプル位置シフト付きダウンサンプル器107 は、処理対象のスキャンの輝度信号のサンプル位置に対する色差信号のサンプル位置に応じたシフト量の、ダウンサンプル輝度信号を生成する。
【００２９】
なお、処理対象のスキャンは外部から設定してもよいし、映像符号化装置が、処理対象の動静判定（静止領域であればプログレッシブスキャン。動き領域であればインタレーススキャンで、奇数ラインであればトップフィールド、偶数ラインであればボトムフィールド）や符号化判定（プログレッシブスキャンとインタレーススキャンそれぞれの符号化結果の良い方）などによって、決定してもよい。また、処理対象のスキャンに関する補助情報は、エントロピー符号化器104 によってビットストリームによって多重化されるものとする。さらに、処理対象のスキャンがインタレーススキャンであれば、トップフィールドかボトムフィールドの補助情報もエントロピー符号化器104 によってビットストリームによって多重化されるものとする。
【００３０】
次に、本発明の特徴であるサンプル位置シフト付きダウンサンプル器107 の動作を図１１のフローチャートを参照して説明する。
【００３１】
処理対象がプログレッシブスキャンであれば（ステップS101）、サンプル位置シフト付きダウンサンプル器107 は、ステップS102で、上述したステップ１においてダウンサンプル輝度信号pY'[ x, y ](x = -1..nS-1 , y = -1..nS-1 )を以下の式（3 ）によって計算する。
【００３２】
pY'[ x, y ] = ( recSamplesL[ 2x, 2y ] + recSamplesL[ 2x, 2y+1 ] ) >> 1   ・・・式（3 ）
【００３３】
つまり、ダウンサンプル輝度信号のサンプル位置を垂直方向に1/2シフトするように[1/2, 1/2]のフィルタでダウンサンプル輝度信号を生成する（図１２（a））。
【００３４】
処理対象がインタレーススキャンのトップフィールドであれば（ステップS10３）、サンプル位置シフト付きダウンサンプル器107 は、ステップS104で、上述したステップ１においてダウンサンプル輝度信号pY'[ x, y ](x = -1..nS-1 , y = -1..nS-1 )を以下の式（4 ）によって計算する。
【００３５】
pY'[ x, y ] = ( 3*recSamplesL[ 2x, 2y ] + recSamplesL[ 2x, 2y+1 ] ) >> 2   ・・・式（4 ）
【００３６】
つまり、ダウンサンプル輝度信号のサンプル位置を垂直方向に1/4シフトするように[3/4, 1/4]のフィルタでダウンサンプル輝度信号を生成する（図12（b））。
【００３７】
処理対象がインタレーススキャンのボトムフィールドであれば（ステップS105）、サンプル位置シフト付きダウンサンプル器107 は、ステップS106で、上述したステップ１においてダウンサンプル輝度信号pY'[ x, y ](x = -1..nS-1 , y = -1..nS-1 )を以下の式（5 ）によって計算する。
【００３８】
pY'[ x, y ] = ( recSamplesL[ 2x, 2y ] + 3*recSamplesL[ 2x, 2y+1 ] ) >> 2   ・・・式（5 ）
【００３９】
つまり、ダウンサンプル輝度信号のサンプル位置を垂直方向に3/4シフトするように[1/4, 3/4]のフィルタでダウンサンプル輝度信号を生成する（図12（c））。
【００４０】
以上で、サンプル位置シフト付きダウンサンプル器107 の動作説明を終了する。
【００４１】
上述したサンプル位置シフト付きダウンサンプル器107 の動作によって、処理対象のスキャンの輝度信号のサンプル位置に対する色差信号のサンプル位置に応じたシフト量のダウンサンプル輝度信号が生成される。この結果、発明の映像符号化装置においては、ダウンサンプル輝度信号から生成される色差予測信号のサンプル位置が好適に保たれて色差信号の画質低下を克服できる。
【００４２】
実施形態２．
図１３に示す本実施形態の発明の映像復号装置は、エントロピー復号器201 、逆量子化／逆周波数変換器202 、予測器203 、バッファ204 およびサンプル位置シフト付きダウンサンプル器205 を備える。
【００４３】
エントロピー復号器201 は、ビットストリームをエントロピー復号し、処理対処（フレーム、スライスまたはブロック）のスキャンおよび残差レベルをエントロピー復号する。なお、処理対処のスキャンがインタレーススキャンであれば、トップフィールドかボトムフィールドの補助情報もントロピー復号する。
【００４４】
逆量子化／逆周波数変換器202 は、供給される残差レベルを逆量子化／逆周波数変換して、再構築残差信号を出力する。再構築残差信号は、予測器203 から供給される予測信号が加えられて、再構築信号としてバッファ204 に格納される。
【００４５】
次に、本発明の特徴であるサンプル位置シフト付きダウンサンプル器205 の動作を図１４のフローチャートを参照して説明する。
【００４６】
サンプル位置シフト付きダウンサンプル器205 は、エントロピー復号器201 から供給される処理対象のスキャンに基づいて、スキャンの輝度信号のサンプル位置に対する色差信号のサンプル位置に応じたサンプル位置のダウンサンプル輝度信号を生成する。
【００４７】
具体的には、処理対象がプログレッシブスキャンであれば（ステップS201）、サンプル位置シフト付きダウンサンプル器205 は、ステップS202で、上述したステップ１においてダウンサンプル輝度信号pY'[ x, y ](x = -1..nS-1 , y = -1..nS-1 )を上記の式（3 ）によって計算する。
【００４８】
つまり、ダウンサンプル輝度信号のサンプル位置を垂直方向に1/2シフトするように[1/2, 1/2]のフィルタでダウンサンプル輝度信号を生成する（図12（a））。
【００４９】
処理対象がインタレーススキャンのトップフィールドであれば（ステップS203）、サンプル位置シフト付きダウンサンプル器205 は、ステップS204で、上述したステップ１においてダウンサンプル輝度信号pY'[ x, y ](x = -1..nS-1 , y = -1..nS-1 )を上記の式（4 ）によって計算する。
【００５０】
つまり、ダウンサンプル輝度信号のサンプル位置を垂直方向に1/4シフトするように[3/4, 1/4]のフィルタでダウンサンプル輝度信号を生成する（図12（b））。
【００５１】
処理対象がスキャンがインタレーススキャンのボトムフィールドであれば（ステップS205）、サンプル位置シフト付きダウンサンプル器205 は、ステップS206で、上述したステップ１においてダウンサンプル輝度信号pY'[ x, y ](x = -1..nS-1 , y = -1..nS-1 )を上記の式（5 ）によって計算する。
【００５２】
つまり、ダウンサンプル輝度信号のサンプル位置を垂直方向に3/4シフトするように[1/4, 3/4]のフィルタでダウンサンプル輝度信号を生成する（図１２（c））。
【００５３】
予測器203 は、サンプル位置シフト付きダウンサンプル器205 から供給されるダウンサンプル輝度信号とバッファ204 から供給される再構築色差信号を用いて、上述したステップ２，３，４の処理に基づいて色差予測信号を生成する。
【００５４】
以上で、本実施形態の発明の映像復号装置の動作説明を終了する。
【００５５】
サンプル位置シフト付きダウンサンプル器205 の動作によって、エントロピー復号器201 から供給される処理対象のスキャンに基づいて、処理対象のスキャンの輝度信号のサンプル位置に対する色差信号のサンプル位置に応じたシフト量のダウンサンプル輝度信号が生成される。この結果、発明の映像復号装置においては、ダウンサンプル輝度信号から生成される色差予測信号のサンプル位置が好適に保たれて色差信号の画質低下を克服できる。
【００５６】
実施形態３．
ところで、非特許文献４は、ブロック内のダウンサンプル輝度信号pY'[ x, y ](x, y = 0..nS-1)を、式（1）の代わりに以下の式(6 )で計算することを提案している。
【００５７】
pY'[ x, y ] = ( recSamplesL[ 2x-1, 2y ] + 2*recSamplesL[ 2x, 2y ] + recSamplesL[ 2x+1, 2y ] + recSamplesL[ 2x-1, 2y+1 ] + 2*recSamplesL[ 2x, 2y+1 ] + recSamplesL[ 2x+1, 2y+1 ] ) >> 3    ・・・式（6 ）
【００５８】
式(6 )は、[[1/8, 2/8, 1/8], [1/8, 2/8, 1/8]]の係数の2次元フィルタで輝度信号を垂直方向に1/2画素シフトして1/2にダウンサンプルすることを意味している（図１５（a））。
【００５９】
上記の2次元フィルタをプログレッシブスキャンの処理対象に用いる場合、処理対象がインタレーススキャンのトップフィールドであれは、上述した実施形態のサンプル位置シフト付きダウンサンプル器は、（ステップ１）において、ダウンサンプル輝度信号のサンプル位置を垂直方向に1/4シフトするように[[3/16, 6/16, 3/16], [1/16, 2/16, 1/16]]の係数の2次元フィルタでダウンサンプル輝度信号を生成すればよい（図１５（b））。つまり、処理対象がインタレーススキャンのトップフィールドであれは、以下の式(7 )を使えばよい。
【００６０】
pY'[ x, y ] = ( 3*recSamplesL[ 2x-1, 2y ] + 6*recSamplesL[ 2x, 2y ] + 3*recSamplesL[ 2x+1, 2y ] + recSamplesL[ 2x-1, 2y+1 ] + 2*recSamplesL[ 2x, 2y+1 ] + recSamplesL[ 2x+1, 2y+1 ] ) >> 4    ・・・式（7 ）
【００６１】
同様に、処理対象がインタレーススキャンのボトムフィールドであれば、上述した実施形態のサンプル位置シフト付きダウンサンプル器は、（ステップ1）において、ダウンサンプル輝度信号のサンプル位置を垂直方向に3/4シフトするように[[1/16, 2/16, 1/16], [3/16, 6/16, 3/16] ]の係数の2次元フィルタでダウンサンプル輝度信号を生成すればよい（図１５（b））。つまり、処理対象がインタレーススキャンのボトムフィールドであれは、以下の式(8 )を使えばよい。
【００６２】
pY'[ x, y ] = ( recSamplesL[ 2x-1, 2y ] + 2*recSamplesL[ 2x, 2y ] + recSamplesL[ 2x+1, 2y ] + 3*recSamplesL[ 2x-1, 2y+1 ] + 6*recSamplesL[ 2x, 2y+1 ] + 3*recSamplesL[ 2x+1, 2y+1 ] ) >> 4    ・・・式（8 ）
【００６３】
実施形態４．
上述した実施形態のサンプル位置シフト付きダウンサンプル器は、実施形態３とは異なる、図１６の２次元フィルタを用いることも可能である。
【００６４】
つまり、処理対象プログレッシブスキャンであれは、以下の式(9 )を使えばよい。
【００６５】
pY'[ x, y ] = ( recSamplesL[ 2x-1, 2y ] + recSamplesL[ 2x+1, 2y ] + recSamplesL[ 2x-1, 2y+1 ] + recSamplesL[ 2x+1, 2y+1 ] ) >> 2    ・・・式（9 ）
【００６６】
処理対象がインタレーススキャンのトップフィールドであれは、以下の式(10)を使えばよい。
【００６７】
pY'[ x, y ] = ( 3*recSamplesL[ 2x-1, 2y ] + 3*recSamplesL[ 2x+1, 2y ] + recSamplesL[ 2x-1, 2y+1 ] + recSamplesL[ 2x+1, 2y+1 ] ) >> 3    ・・・式（10）
【００６８】
処理対象がインタレーススキャンのボトムフィールドであれは、以下の式(11)を使えばよい。
【００６９】
pY'[ x, y ] = ( recSamplesL[ 2x-1, 2y ] + recSamplesL[ 2x+1, 2y ] + 3*recSamplesL[ 2x-1, 2y+1 ] + 3*recSamplesL[ 2x+1, 2y+1 ] ) >> 3    ・・・式（11）
【００７０】
実施形態５．
ところで、非特許文献５は、ラインバッファを削減するために、ブロック境界の行のダウンサンプル輝度信号pY'[ x, y ](x = 0..nS-1, y = -1)を、以下の式(12)で計算することを提案している。
【００７１】
pY'[ x, y ] = ( recSamplesL[ 2x-1, -1 ] + 2*recSamplesL[ 2x, -1 ] + recSamplesL[ 2x+1, -1 ] ) >> 2    ・・・式（12）
【００７２】
非特許文献５に記載された技術と本発明を組み合わせる場合、ブロック境界の行ダウンサンプル輝度信号を上記の式(12)で計算し、その他のダウンサンプル輝度信号を本発明の式で計算すればよい。
【００７３】
さらに、非特許文献５は、計算量を削減するために、ブロック境界の列のダウンサンプル輝度信号pY'[ x, y ]( x = -1, y = 0..nS-1)を、以下の式(13)で計算することを提案している。
【００７４】
pY'[ x, y ] = ( recSamplesL[ 2x, 2y ] + recSamplesL[ 2x, 2y+1 ] ) >> 1    ・・・式（13）
【００７５】
非特許文献５と本発明を組み合わせる場合、ブロック境界の行および列のダウンサンプル輝度信号を上記の式（12），（13）でそれぞれ計算し、その他のダウンサンプル輝度信号を本発明の式で計算すればよい。なお、ブロック境界の列のダウンサンプル輝度信号pY'[ x, y ]( x = -1, y = 0..nS-1)は、実施形態１および実施形態２の式（1 ）、（2 ）、（3 ）で計算してもよい。
【００７６】
実施形態６．
なお、非特許文献３に基づく映像符号化は、7.3.3 Slice header syntax記載のfield_pic_flagを0 と設定すること、または、7.3.4 Slice data syntax記載のmb_field_decoding_flagを0 と設定することによって、処理対象がプログレッシブスキャンであることを映像復号側にシグナリングできる。また、7.3.3 Slice header syntax記載のfield_pic_flagを1、bottom_field_flagを0 とそれぞれ設定すること、または、7.3.4 Slice data syntax記載のmb_field_decoding_flagを1 と設定することによって、処理対象がインタレーススキャンのトップフィールドであることを映像復号側にシグナリングできる。同様に、7.3.3 Slice header syntax記載のfield_pic_flagを1 、bottom_field_flagを1 とそれぞれ設定すること、または、7.3.4 Slice data syntax記載のmb_field_decoding_flagを1 と設定することによって、処理対象がインタレーススキャンのボトムであることを映像復号側にシグナリングできる。
【００７７】
実施形態７．
なお、非特許文献２に基づく映像符号化は、非特許文献３のfield_pic_flag、bottom_field_flag、および、mb_field_decoding_flagシンタクスが存在しない。よって、それらのシンタクス代替として、処理対象の輝度信号と色差信号のサンプル位置関係（すなわち、ダウンサンプル輝度信号のサンプル位置のシフト量）を明示的に示すシンタクスを新たに定義してもよい。
【００７８】
例えば、図６を参照すると、プログレッシブスキャンにおける処理対象の輝度信号と色差信号のサンプル位置関係は垂直に1/2画素シフトしている。図７を参照すると、インタレーススキャンのトップフィールドにおける処理対象の輝度信号と色差信号のサンプル位置関係は垂直に1/4画素シフトしている。図８を参照すると、インタレーススキャンのボトムフィールドにおける処理対象の輝度信号と色差信号のサンプル位置関係は垂直に3/4画素シフトしている。よって、ダウンサンプル輝度信号のサンプル位置のシフト量を示すシンタクスluma_down_sampling_shift_idcを以下のように定義できる。
【００７９】
luma_down_sampling_shift_idcは、ダウンサンプル輝度信号のサンプル位置のシフト量を示す。luma_down_sampling_shift_idc=0は1/2画素のシフト量を示す。luma_down_sampling_shift_idc=1は1/4画素のシフト量を示す。luma_down_sampling_shift_idc=2は3/4画素のシフト量を示す。luma_down_sampling_shift_idcは、0 から3 の値をとる。luma_down_sampling_shift_idcが存在しない場合、その値は0 とみなす。
【００８０】
なお、プログレッシブスキャンにおける1/2画素シフトを基準とすれば、インタレーススキャンのトップフィールドにおける1/4画素のシフト量は-1/4画素シフトとなり、インタレーススキャンのボトムフィールドにおける3/4画素のシフト量は1/4画素シフトとなる。その場合、上記の定義は、以下になる。
【００８１】
luma_down_sampling_shift_idcは、ダウンサンプル輝度信号のサンプル位置のシフト量を示す。luma_down_sampling_shift_idc=0は1/2画素のシフト量を示す。luma_down_sampling_shift_idc=1はluma_down_sampling_shift_idc=0のシフト量に対して-1/4画素のシフト量を示す。luma_down_sampling_shift_idc=2 luma_down_sampling_shift_idc=0のシフト量に対して+1/4画素のシフト量を示す。luma_down_sampling_shift_idcは、0 から3 の値をとる。luma_down_sampling_shift_idcが存在しない場合、その値は0 とみなす。
【００８２】
なお、luma_down_sampling_shift_idcシンタクスは、シーケンスパラメータセット、ピクチャパラメータセット、スライスヘッダなどでシグナリングすればよい。
【００８３】
実施形態８．
なお、非特許文献２に基づく映像符号化は、非特許文献３のfield_pic_flag、bottom_field_flag、および、mb_field_decoding_flagシンタクスが存在しない。よって、4：2：0のインタレーススキャン信号の入力映像を符号化する際には、intra_chromaFromLuma予測を無効にすることが考えられる。intra_chromaFromLuma予測を無効にするとは、7.3.2.1 Sequence parameter set RBSP syntax記載のchroma_pred_from_luma_enabled_flagを0に設定すること、または、chroma_pred_from_luma_enabled_flagを1に設定し、さらに、7.3.7 Prediction unit syntax記載のintra_chroma_pred_modeを0以外（IntraPredModeを35以外、つまり、Intra_FromLuma prediction mode以外）に設定することである。4：2：0のインタレーススキャン信号の入力映像は、外部設定によって検出してもよいし、前記動静判定によって検出してもよい。
【００８４】
実施形態９．
ところで、本発明は、図１７に示すフレームパッキングされたフレームに対しても適用可能である。図１７(a)は、１つのフレームの上半分と下半分にトップフィールドとボトムフィールドをそれぞれ配置するフレームパッキングを示す。図１７(a)のフレームパッキングの場合、本発明は、フレームの上半分の符号化／復号においては、ダウンサンプル輝度信号のサンプル位置を垂直方向に1/4シフトするようにダウンサンプル輝度信号を生成する。フレームの下半分の符号化/復号においては、ダウンサンプル輝度信号のサンプル位置を垂直方向に3/4シフトするようにダウンサンプル輝度信号を生成する。図１７(b)のフレームパッキングの場合（１つのフレームの上半分と下半分にボトムフィールドとトップフィールドをそれぞれ配置する場合）、本発明は、フレームの上半分の符号化/復号においては、ダウンサンプル輝度信号のサンプル位置を垂直方向に3/4シフトするようにダウンサンプル輝度信号を生成する。フレームの下半分の符号化/復号においては、ダウンサンプル輝度信号のサンプル位置を垂直方向に1/4シフトするようにダウンサンプル輝度信号を生成する。
【００８５】
さらには上述した発明の実施形態においては、上述した説明からも明らかなように、ハードウェアで構成することも可能であるが、コンピュータプログラムにより実現することも可能である。
【００８６】
図１８に示す情報処理システムは、プロセッサ1001、プログラムメモリ1002、映像データを格納するための記憶媒体1003およびビットストリームを格納するための記憶媒体1004を備える。記憶媒体1003と記憶媒体1004とは、別個の記憶媒体であってもよいし、同一の記憶媒体からなる記憶領域であってもよい。記憶媒体として、ハードディスク等の磁気記憶媒体を用いることができる。
【００８７】
図１８に示す情報処理システムにおいて、プログラムメモリ1002には、図１０，図１３のそれぞれに示す各ブロックの機能を実現するためのプログラムが格納される。そして、プロセッサ1001は、プログラムメモリ1002に格納されているプログラムに従って処理を実行することによって、図１０，図１３のそれぞれに示す映像符号化装置または映像復号装置の機能を実現する。
【００８８】
上記の実施形態の一部又は全部は以下の付記のようにも記載されうるが、本発明の構成は以下の構成に限定されない。
【００８９】
（付記１）少なくとも垂直方向に輝度信号を1/2にダウンサンプルする輝度信号ダウンサンプル手段と、ダウンサンプルした輝度信号から色差信号を線形予測する予測手段とを備え、前記輝度信号ダウンサンプル手段が処理対象のスキャンに応じてダウンサンプル輝度信号のサンプル位置をシフトする映像符号化装置であって、前記輝度信号ダウンサンプル手段は、[1/2, 1/2]の係数のフィルタを用いてプログレッシブスキャンのダウンサンプル輝度信号のサンプル位置を1/2シフトし、[1/4, 3/4]の係数のフィルタを用いてインタレーススキャンのトップフィールドのダウンサンプル輝度信号のサンプル位置を1/4シフトし、[3/4, 1/4]の係数のフィルタを用いてインタレーススキャンのトボトムフィールドのダウンサンプル輝度信号のサンプル位置を3/4シフトすることを特徴とする映像符号化装置。
【００９０】
（付記２）少なくとも垂直方向に輝度信号を1/2にダウンサンプルする輝度信号ダウンサンプル手段と、ダウンサンプルした輝度信号から色差信号を線形予測する予測手段とを備え、輝度信号ダウンサンプル手段は、プログレッシブスキャンのダウンサンプル輝度信号のサンプル位置を1/2シフトし、インタレーススキャンのトップフィールドのダウンサンプル輝度信号のサンプル位置を1/4シフトし、インタレーススキャンのボトムフィールドのダウンサンプル輝度信号のサンプル位置を3/4シフトする映像符号化装置であって、前記輝度信号ダウンサンプル手段は、[[1/8, 2/8, 1/8], [1/8, 2/8, 1/8]]の係数の2次元フィルタを用いてプログレッシブスキャンのダウンサンプル輝度信号のサンプル位置を1/2シフトし、[[3/16, 6/16, 3/16], [1/16, 2/16, 1/16]]の係数の2次元フィルタを用いてインタレーススキャンのトップフィールドのダウンサンプル輝度信号のサンプル位置を1/4シフトし、[[1/16, 2/16, 1/16], [3/16, 6/16, 3/16]]の係数のフィルタを用いてインタレーススキャンのトボトムフィールドのダウンサンプル輝度信号のサンプル位置を3/4シフトすることを特徴とする映像符号化装置。
【００９１】
（付記３）少なくとも垂直方向に輝度信号を1/2にダウンサンプルする輝度信号ダウンサンプル手段と、ダウンサンプルした輝度信号から色差信号を線形予測する予測手段とを備え、前記輝度信号ダウンサンプル手段が処理対象のスキャンに応じてダウンサンプル輝度信号のサンプル位置をシフトする映像符号化装置であって、前記輝度信号ダウンサンプル手段は、[[1/4, 0, 1/8], [1/8, 2/8, 1/8]]の係数の2次元フィルタを用いてプログレッシブスキャンのダウンサンプル輝度信号のサンプル位置を1/2シフトし、[[3/8 0, 3/8], [1/8, 0, 1/8]]の係数の2次元フィルタを用いてインタレーススキャンのトップフィールドのダウンサンプル輝度信号のサンプル位置を1/4シフトし、[[1/8, 0, 1/8],[3/8 0, 3/8]]の係数のフィルタを用いてインタレーススキャンのトボトムフィールドのダウンサンプル輝度信号のサンプル位置を3/4シフトすることを特徴とする映像符号化装置。
【００９２】
（付記４）少なくとも垂直方向に輝度信号を1/2にダウンサンプルする輝度信号ダウンサンプル手段と、ダウンサンプルした輝度信号から色差信号を線形予測する予測手段とを備え、前記輝度信号ダウンサンプル手段が処理対象のスキャンに応じてダウンサンプル輝度信号のサンプル位置をシフトする映像復号装置であって、前記輝度信号ダウンサンプル手段は、[1/2, 1/2]の係数のフィルタを用いてプログレッシブスキャンのダウンサンプル輝度信号のサンプル位置を1/2シフトし、[1/4, 3/4]の係数のフィルタを用いてインタレーススキャンのトップフィールドのダウンサンプル輝度信号のサンプル位置を1/4シフトし、[3/4, 1/4]の係数のフィルタを用いてインタレーススキャンのトボトムフィールドのダウンサンプル輝度信号のサンプル位置を3/4シフトすることを特徴とする映像復号装置。
【００９３】
（付記５）少なくとも垂直方向に輝度信号を1/2にダウンサンプルする輝度信号ダウンサンプル手段と、ダウンサンプルした輝度信号から色差信号を線形予測する予測手段とを備え、輝度信号ダウンサンプル手段は、プログレッシブスキャンのダウンサンプル輝度信号のサンプル位置を1/2シフトし、インタレーススキャンのトップフィールドのダウンサンプル輝度信号のサンプル位置を1/4シフトし、インタレーススキャンのボトムフィールドのダウンサンプル輝度信号のサンプル位置を3/4シフトする映像復号装置であって、前記輝度信号ダウンサンプル手段は、[[1/8, 2/8, 1/8], [1/8, 2/8, 1/8]]の係数の2次元フィルタを用いてプログレッシブスキャンのダウンサンプル輝度信号のサンプル位置を1/2シフトし、[[3/16, 6/16, 3/16], [1/16, 2/16, 1/16]]の係数の2次元フィルタを用いてインタレーススキャンのトップフィールドのダウンサンプル輝度信号のサンプル位置を1/4シフトし、[[1/16, 2/16, 1/16], [3/16, 6/16, 3/16]]の係数のフィルタを用いてインタレーススキャンのトボトムフィールドのダウンサンプル輝度信号のサンプル位置を3/4シフトすることを特徴とする映像復号装置。
【００９４】
（付記６）少なくとも垂直方向に輝度信号を1/2にダウンサンプルする輝度信号ダウンサンプル手段と、ダウンサンプルした輝度信号から色差信号を線形予測する予測手段とを備え、前記輝度信号ダウンサンプル手段が処理対象のスキャンに応じてダウンサンプル輝度信号のサンプル位置をシフトする映像復号装置であって、前記輝度信号ダウンサンプル手段は、[[1/4, 0, 1/8], [1/8, 2/8, 1/8]]の係数の2次元フィルタを用いてプログレッシブスキャンのダウンサンプル輝度信号のサンプル位置を1/2シフトし、[[3/8 0, 3/8], [1/8, 0, 1/8]]の係数の2次元フィルタを用いてインタレーススキャンのトップフィールドのダウンサンプル輝度信号のサンプル位置を1/4シフトし、[[1/8, 0, 1/8],[3/8 0, 3/8]]の係数のフィルタを用いてインタレーススキャンのトボトムフィールドのダウンサンプル輝度信号のサンプル位置を3/4シフトすることを特徴とする映像復号装置。
【００９５】
（付記７）少なくとも垂直方向に輝度信号を1/2にダウンサンプルし、ダウンサンプルした輝度信号から色差信号を線形予測し、処理対象のスキャンに応じてダウンサンプル輝度信号のサンプル位置をシフトする映像符号化方法であって、[1/2, 1/2]の係数のフィルタを用いてプログレッシブスキャンのダウンサンプル輝度信号のサンプル位置を1/2シフトし、[1/4, 3/4]の係数のフィルタを用いてインタレーススキャンのトップフィールドのダウンサンプル輝度信号のサンプル位置を1/4シフトし、[3/4, 1/4]の係数のフィルタを用いてインタレーススキャンのトボトムフィールドのダウンサンプル輝度信号のサンプル位置を3/4シフトすることを特徴とする映像符号化方法。
【００９６】
（付記８）少なくとも垂直方向に輝度信号を1/2にダウンサンプルし、ダウンサンプルした輝度信号から色差信号を線形予測し、処理対象のスキャンに応じてダウンサンプル輝度信号のサンプル位置をシフトする映像符号化方法であって、[[1/8, 2/8, 1/8], [1/8, 2/8, 1/8]]の係数の2次元フィルタを用いてプログレッシブスキャンのダウンサンプル輝度信号のサンプル位置を1/2シフトし、[[3/16, 6/16, 3/16], [1/16, 2/16, 1/16]]の係数の2次元フィルタを用いてインタレーススキャンのトップフィールドのダウンサンプル輝度信号のサンプル位置を1/4シフトし、[[1/16, 2/16, 1/16], [3/16, 6/16, 3/16]]の係数のフィルタを用いてインタレーススキャンのトボトムフィールドのダウンサンプル輝度信号のサンプル位置を3/4シフトすることを特徴とする映像符号化方法。
【００９７】
（付記９）少なくとも垂直方向に輝度信号を1/2にダウンサンプルし、ダウンサンプルした輝度信号から色差信号を線形予測し、処理対象のスキャンに応じてダウンサンプル輝度信号のサンプル位置をシフトする映像符号化方法であって、[[1/4, 0, 1/8], [1/8, 2/8, 1/8]]の係数の2次元フィルタを用いてプログレッシブスキャンのダウンサンプル輝度信号のサンプル位置を1/2シフトし、[[3/8 0, 3/8], [1/8, 0, 1/8]]の係数の2次元フィルタを用いてインタレーススキャンのトップフィールドのダウンサンプル輝度信号のサンプル位置を1/4シフトし、[[1/8, 0, 1/8],[3/8 0, 3/8]]の係数のフィルタを用いてインタレーススキャンのトボトムフィールドのダウンサンプル輝度信号のサンプル位置を3/4シフトすることを特徴とする映像符号化方法。
【００９８】
（付記１０）少なくとも垂直方向に輝度信号を1/2にダウンサンプルし、ダウンサンプルした輝度信号から色差信号を線形予測し、処理対象のスキャンに応じてダウンサンプル輝度信号のサンプル位置をシフトする映像復号方法であって、[1/2, 1/2]の係数のフィルタを用いてプログレッシブスキャンのダウンサンプル輝度信号のサンプル位置を1/2シフトし、[1/4, 3/4]の係数のフィルタを用いてインタレーススキャンのトップフィールドのダウンサンプル輝度信号のサンプル位置を1/4シフトし、[3/4, 1/4]の係数のフィルタを用いてインタレーススキャンのトボトムフィールドのダウンサンプル輝度信号のサンプル位置を3/4シフトすることを特徴とする映像復号方法。
【００９９】
（付記１１）少なくとも垂直方向に輝度信号を1/2にダウンサンプルし、ダウンサンプルした輝度信号から色差信号を線形予測し、処理対象のスキャンに応じてダウンサンプル輝度信号のサンプル位置をシフトする映像復号方法であって、[[1/8, 2/8, 1/8], [1/8, 2/8, 1/8]]の係数の2次元フィルタを用いてプログレッシブスキャンのダウンサンプル輝度信号のサンプル位置を1/2シフトし、[[3/16, 6/16, 3/16], [1/16, 2/16, 1/16]]の係数の2次元フィルタを用いてインタレーススキャンのトップフィールドのダウンサンプル輝度信号のサンプル位置を1/4シフトし、[[1/16, 2/16, 1/16], [3/16, 6/16, 3/16]]の係数のフィルタを用いてインタレーススキャンのトボトムフィールドのダウンサンプル輝度信号のサンプル位置を3/4シフトすることを特徴とする映像復号方法。
【０１００】
（付記１２）少なくとも垂直方向に輝度信号を1/2にダウンサンプルし、ダウンサンプルした輝度信号から色差信号を線形予測し、処理対象のスキャンに応じてダウンサンプル輝度信号のサンプル位置をシフトする映像復号方法であって、[[1/4, 0, 1/8], [1/8, 2/8, 1/8]]の係数の2次元フィルタを用いてプログレッシブスキャンのダウンサンプル輝度信号のサンプル位置を1/2シフトし、[[3/8 0, 3/8], [1/8, 0, 1/8]]の係数の2次元フィルタを用いてインタレーススキャンのトップフィールドのダウンサンプル輝度信号のサンプル位置を1/4シフトし、[[1/8, 0, 1/8],[3/8 0, 3/8]]の係数のフィルタを用いてインタレーススキャンのトボトムフィールドのダウンサンプル輝度信号のサンプル位置を3/4シフトすることを特徴とする映像復号方法。
【０１０１】
（付記１３）コンピュータに、少なくとも垂直方向に輝度信号を1/2にダウンサンプルさせ、ダウンサンプルした輝度信号から色差信号を線形予測させ、処理対象のスキャンに応じてダウンサンプル輝度信号のサンプル位置をシフトさせるための映像符号化プログラムであって、コンピュータに、プログレッシブスキャンのダウンサンプル輝度信号のサンプル位置を1/2シフトし、インタレーススキャンのトップフィールドのダウンサンプル輝度信号のサンプル位置を1/4シフトし、インタレーススキャンのボトムフィールドのダウンサンプル輝度信号のサンプル位置を3/4シフトする処理を実行させるための映像符号化プログラム。
【０１０２】
（付記１４）付記１３の映像符号化プログラムであって、コンピュータに、[1/2, 1/2]の係数のフィルタを用いてプログレッシブスキャンのダウンサンプル輝度信号のサンプル位置を1/2シフトし、[1/4, 3/4]の係数のフィルタを用いてインタレーススキャンのトップフィールドのダウンサンプル輝度信号のサンプル位置を1/4シフトし、[3/4, 1/4]の係数のフィルタを用いてインタレーススキャンのトボトムフィールドのダウンサンプル輝度信号のサンプル位置を3/4シフトする処理を実行させるための映像符号化プログラム。
【０１０３】
（付記１５）付記１３の映像符号化プログラムであって、コンピュータに、[[1/8, 2/8, 1/8], [1/8, 2/8, 1/8]]の係数の2次元フィルタを用いてプログレッシブスキャンのダウンサンプル輝度信号のサンプル位置を1/2シフトし、[[3/16, 6/16, 3/16], [1/16, 2/16, 1/16]]の係数の2次元フィルタを用いてインタレーススキャンのトップフィールドのダウンサンプル輝度信号のサンプル位置を1/4シフトし、[[1/16, 2/16, 1/16], [3/16, 6/16, 3/16]]の係数のフィルタを用いてインタレーススキャンのトボトムフィールドのダウンサンプル輝度信号のサンプル位置を3/4シフトする処理を実行させるための映像符号化プログラム。
【０１０４】
（付記１６）付記１３の映像符号化プログラムであって、コンピュータに、[[1/4, 0, 1/8], [1/8, 2/8, 1/8]]の係数の2次元フィルタを用いてプログレッシブスキャンのダウンサンプル輝度信号のサンプル位置を1/2シフトし、[[3/8 0, 3/8], [1/8, 0, 1/8]]の係数の2次元フィルタを用いてインタレーススキャンのトップフィールドのダウンサンプル輝度信号のサンプル位置を1/4シフトし、[[1/8, 0, 1/8],[3/8 0, 3/8]]の係数のフィルタを用いてインタレーススキャンのトボトムフィールドのダウンサンプル輝度信号のサンプル位置を3/4シフトする処理を実行させるための映像符号化プログラム。
【０１０５】
（付記１７）コンピュータに、少なくとも垂直方向に輝度信号を1/2にダウンサンプルさせ、ダウンサンプルした輝度信号から色差信号を線形予測させ、処理対象のスキャンに応じてダウンサンプル輝度信号のサンプル位置をシフトさせるための映像復号プログラムであって、コンピュータに、プログレッシブスキャンのダウンサンプル輝度信号のサンプル位置を1/2シフトし、インタレーススキャンのトップフィールドのダウンサンプル輝度信号のサンプル位置を1/4シフトし、インタレーススキャンのボトムフィールドのダウンサンプル輝度信号のサンプル位置を3/4シフトする処理を実行させるための映像復号プログラム。
【０１０６】
（付記１８）付記１７の映像復号プログラムであって、コンピュータに、[1/2, 1/2]の係数のフィルタを用いてプログレッシブスキャンのダウンサンプル輝度信号のサンプル位置を1/2シフトし、[1/4, 3/4]の係数のフィルタを用いてインタレーススキャンのトップフィールドのダウンサンプル輝度信号のサンプル位置を1/4シフトし、[3/4, 1/4]の係数のフィルタを用いてインタレーススキャンのトボトムフィールドのダウンサンプル輝度信号のサンプル位置を3/4シフトする処理を実行させるための映像復号プログラム。
【０１０７】
（付記１９）付記１７の映像復号プログラムであって、コンピュータに、[[1/8, 2/8, 1/8], [1/8, 2/8, 1/8]]の係数の2次元フィルタを用いてプログレッシブスキャンのダウンサンプル輝度信号のサンプル位置を1/2シフトし、[[3/16, 6/16, 3/16], [1/16, 2/16, 1/16]]の係数の2次元フィルタを用いてインタレーススキャンのトップフィールドのダウンサンプル輝度信号のサンプル位置を1/4シフトし、[[1/16, 2/16, 1/16], [3/16, 6/16, 3/16]]の係数のフィルタを用いてインタレーススキャンのトボトムフィールドのダウンサンプル輝度信号のサンプル位置を3/4シフトする処理を実行させるための映像復号プログラム。
【０１０８】
（付記２０）付記１７の映像復号プログラムであって、コンピュータに、[[1/4, 0, 1/8], [1/8, 2/8, 1/8]]の係数の2次元フィルタを用いてプログレッシブスキャンのダウンサンプル輝度信号のサンプル位置を1/2シフトし、[[3/8 0, 3/8], [1/8, 0, 1/8]]の係数の2次元フィルタを用いてインタレーススキャンのトップフィールドのダウンサンプル輝度信号のサンプル位置を1/4シフトし、[[1/8, 0, 1/8],[3/8 0, 3/8]]の係数のフィルタを用いてインタレーススキャンのトボトムフィールドのダウンサンプル輝度信号のサンプル位置を3/4シフトする処理を実行させるための映像復号プログラム。
【０１０９】
以上、実施形態および実施例を参照して本願発明を説明したが、本願発明は上記実施形態および実施例に限定されるものではない。本願発明の構成や詳細には、本願発明のスコープ内で当業者が理解し得る様々な変更をすることができる。
【０１１０】
この出願は、２０１１年１１月２日に出願された日本特許出願２０１１−２４１４５０を基礎とする優先権を主張し、その開示の全てをここに取り込む。
【産業上の利用可能性】
【０１１１】
本発明は、ダウンサンプルした輝度信号から色差信号を予測する映像符号化装置や映像復号装置などに好適に適用可能である。
【符号の説明】
【０１１２】
101 予測器
102 周波数変換器
103 量子化器
104 エントロピー符号化器
105 逆量子化／逆周波数変換器
106 バッファ
107 サンプル位置シフト付きダウンサンプル器
201 エントロピー復号器
202 逆量子化／逆周波数変換器
203 予測器
204 バッファ
205 サンプル位置シフト付きダウンサンプル器
【図１】
2013065263.tif 000003
【図２】
2013065263.tif 000004
【図３】
2013065263.tif 000005
【図４】
2013065263.tif 000006
【図５】
2013065263.tif 000007
【図６】
2013065263.tif 000008
【図７】
2013065263.tif 000009
【図８】
2013065263.tif 000010
【図９】
2013065263.tif 000011
【図１０】
2013065263.tif 000012
【図１１】
2013065263.tif 000013
【図１２】
2013065263.tif 000014
【図１３】
2013065263.tif 000015
【図１４】
2013065263.tif 000016
【図１５】
2013065263.tif 000017
【図１６】
2013065263.tif 000018
【図１７】
2013065263.tif 000019
【図１８】
2013065263.tif 000020
【国際調査報告】
2013065263.tif 000021
2013065263.tif 000022
2013065263.tif 000023
2013065263.tif 000024